(57)【要約】【課題】排出対象のディスクを落してしまっても、そのディスクを排出することができるディスク収納装置を得ることを目的とする。【解決手段】ディスク把持アーム７に外力が作用すると、そのディスク把持アーム７の上方向への移動を許容する隙間３２をディスク把持アーム７の上部に設けるとともに、ディスク支持レバー３３の下側にテーパ面３３ａを形成するように構成した。これにより、排出対象のディスク２４を落してしまっても、そのディスク２４を排出することができる。【選択図】        図１
2004280998.tif 000002
【特許請求の範囲】
【請求項１】
少なくとも１以上のディスクを保持するディスク交換機構と、上記ディスク交換機構により保持されているディスクのうち、指定されたディスクの一端を把持するディスク把持アームと、上記ディスク把持アームにより把持されるディスクの他端を支持するディスク支持レバーと、上記ディスク支持レバーが所定の位置に退避したのち、そのディスクを排出するディスク排出機構とを備えたディスク装置において、上記ディスク把持アームに外力が作用すると、そのディスク把持アームの上方向への移動を許容する隙間を上記ディスク把持アームの上部に設けるとともに、上記ディスク支持レバーの下側にテーパ面を形成していることを特徴とするディスク装置。
【請求項２】
ディスク把持アームがディスク交換機構により保持されているディスクを把持する際に当該ディスクが落下した場合、そのディスクの端部に当接しながらスライドして当該ディスクの位置を補正する位置補正部材を設けることを特徴とする請求項１記載のディスク装置。
【請求項３】
ディスク支持レバーの上側にテーパ面を形成していることを特徴とする請求項１記載のディスク装置。
【請求項４】
ディスク支持レバーにおけるディスクの支持面にコーティングを施していることを特徴とする請求項１から請求項３のうちのいずれか１項記載のディスク装置。
【請求項５】
ディスク支持レバーにおけるディスクの支持面にクッション材を付加していることを特徴とする請求項１から請求項３のうちのいずれか１項記載のディスク装置。
【発明の詳細な説明】
【０００１】
【発明の属する技術分野】
この発明は、ディスクの交換機能を有しているディスク装置に関するものである。
【０００２】
【従来の技術】
この種のディスク装置は、少なくとも１以上のディスクを保持するディスク交換機構を備え、ディスクを交換する際、指定されたディスクの一端を把持するディスク把持アームと、このディスク把持アームにより把持されるディスクの他端を支持するディスク支持レバーとによって支持するように構成されている。
【０００３】
【特許文献１】
特開平５−３４２７４１号公報（第７欄１行目〜第８欄３７行目、図１１〜図１４）
【０００４】
【発明が解決しようとする課題】
従来のディスク装置は以上のように構成されているので、ディスク把持アームが排出対象のディスクを把持する際に、例えば、そのディスクがディスクが湾曲していたり、傾いていたりして、ディスク支持レバーが支持できず、ディスクがディスク支持レバーの下側に落ちてしまうと、ディスク交換機構がディスクを上方向に持ち上げても、ディスク把持アーム及びディスク支持レバーがディスクを保持することができず、ディスクを排出することができなくなるなどの課題があった。
【０００５】
この発明は上記のような課題を解決するためになされたもので、排出対象のディスクを落してしまっても、そのディスクを排出することができるディスク装置を得ることを目的とする。
【０００６】
【課題を解決するための手段】
この発明に係るディスク装置は、ディスク把持アームに外力が作用すると、そのディスク把持アームの上方向への移動を許容する隙間をディスク把持アームの上部に設けるとともに、ディスク支持レバーの下側にテーパ面を形成するようにしたものである。
【０００７】
【発明の実施の形態】
以下、この発明の実施の一形態を説明する。
実施の形態１．
図１はこの発明の実施の形態１によるディスク装置を示す上面図であり、図２はこの発明の実施の形態１によるディスク装置を示す断面図である。図において、ディスク交換機構１は少なくとも１以上のディスクを保持し、指定されたディスクを上下方向に搬送する。ディスク交換機構１の動作は、駆動モータ２が回転を開始して、ラックプレート３が駆動モータ２の駆動力をリンクレバー４に伝達し、その駆動力によってリンクレバー４が駆動ギア５，６を駆動することにより行われる。
【０００８】
ディスク把持アーム７はディスク交換機構１により搬送されたディスクの一端を把持する。上下規制部材３１はディスク把持アーム７の上下方向の移動を規制する部材である。ただし、ディスク把持アーム７の上部には隙間３２が設けられており、ディスク把持アーム７に下方向から外力が作用すると、上下規制部材３１は隙間３２の分だけ、ディスク把持アーム７の上方向への移動を許容する。
ディスク把持アーム７の動作は、駆動モータ９が回転を開始すると、駆動モータ９の駆動力が駆動ギア１０及びカムギア１１を介して駆動レバー１２に伝達して、駆動レバー１２がカムプレート１３を駆動し、その結果、カムプレート１３がディスク把持アーム７に連結されているアーム回動レバー（図示せず）を回動することにより行われる。
【０００９】
ディスク支持レバー３３は下側にテーパ面３３ａが形成され、ディスク把持アーム７により把持されるディスクの他端を支持する。ディスク支持レバー３３の動作は、駆動モータ９が回転を開始し、上記と同様にしてアーム回動レバーが回動すると、アーム回動レバーの回動力が回動ギア１６，１７、リングギア１８及びリミットギア１９を介してレバー回動ギア２０に伝達し、その回動力によってレバー回動ギア２０が回動することにより行われる。なお、リミットギア１９の内部にはバネが内蔵されており、そのバネによってディスクの保持力を発生させている。
【００１０】
ディスク排出機構２１はディスク支持レバー３３が所定の位置に退避したのち、搬送ローラを駆動してそのディスクを排出する。ディスク排出機構２１の動作は、駆動モータ２が回転を開始して、ラックプレート３が駆動モータ２の駆動力を駆動ギア２２に伝達し、その駆動ギア２２が駆動することにより行われる。
図９はこの発明の実施の形態１によるディスク装置の処理内容を示すフローチャートである。
【００１１】
次に動作について説明する。
ディスク交換機構１は少なくとも１以上のディスクを保持しているが、例えば、あるディスクの排出指令を示すディスク排出コマンドを入力すると（ステップＳＴ１）、駆動モータ９が回転を開始し、図２に示す位置まで、ディスク把持アーム７が回動して、排出対象のディスク２４を把持する。
さらに、駆動モータ９の回転開始に伴って、図２の位置から図３に示す位置まで、ディスク支持レバー３３が移動して、排出対象のディスク２４を支持する（ステップＳＴ２）。
【００１２】
上記のようなディスクの保持動作が完了すると、ディスク把持アーム７及びディスク支持レバー３３により排出対象のディスク２４が保持されたか否かを検知する（ステップＳＴ３）。
ディスク把持アーム７及びディスク支持レバー３３によりディスク２４が保持された場合には、駆動モータ９が回転を開始することにより、ディスク支持レバー３３が図２に示す位置まで退避する。
ディスク支持レバー３３の退避が完了すると、駆動モータ２が回転を開始することにより、ディスク排出機構２１が搬送ローラ２３を駆動して、そのディスク２４を排出する（ステップＳＴ４）。
【００１３】
一方、ディスク把持アーム７が排出対象のディスク２４を把持する際に、例えば、そのディスク２４が湾曲していたり、傾いていたりして、ディスク支持レバー１５が支持できず、ディスク２４がディスク支持レバー１５の下側に落ちてしまった場合、従来のディスク装置では、図３の状態となり、例えばディスク交換機構１がディスク２４を上方向に押し上げても、図４に示すようにディスク２４はディスク把持アーム７およびディスク支持レバー１５の下面に当接したままとなり、図５に示すようにディスク２４をディスク交換機構１で所定位置まで上昇させても、ディスク２４を排出することができない。
しかし、この発明によれば、ディスク交換機構１がディスク２４を図６に示す落ちた位置から上方向に持ち上げると（図７を参照）、ディスク把持アーム７の上部には隙間３２が設けられ、ディスク支持レバー３３の下側にはテーパ面３３ａが形成されているので、ディスク２４は、ディスク把持アーム７を持ち上げながらディスク支持レバー３３のテーパ面３３ａに沿って上昇する。
【００１４】
その後、ディスク把持アーム７の上部の隙間３２がなくなると、ディスク交換機構１の上昇が停止し、図８に示すように、ディスク２４の端部２４ａがディスク支持レバー３３の垂直面３３ｂに当接する（ステップＳＴ５）。
このように、ディスク２４の端部２４ａがディスク支持レバー３３の垂直面３３ｂに当接している状態のディスク２４の高さは、ディスク把持アーム７及びディスク支持レバー３３によりディスク２４が正常に保持された場合と同じ高さである。
【００１５】
このようにして、ディスク２４の端部２４ａがディスク支持レバー３３の垂直面３３ｂに当接すると、駆動モータ９が回転を開始することにより、ディスク支持レバー３３が図２に示す位置まで退避する。
ディスク支持レバー３３の退避が完了すると、駆動モータ２が回転を開始することにより、ディスク排出機構２１が搬送ローラ２３を駆動して、そのディスク２４を排出する（ステップＳＴ６）。
【００１６】
以上で明らかなように、この実施の形態１によれば、ディスク把持アーム７に外力が作用すると、そのディスク把持アーム７の上方向への移動を許容する隙間３２をディスク把持アーム７の上部に設けるとともに、ディスク支持レバー３３の下側にテーパ面３３ａを形成するように構成したので、排出対象のディスク２４を落してしまっても、そのディスク２４を排出することができる効果を奏する。
【００１７】
実施の形態２．
図１０はこの発明の実施の形態２によるディスク装置を示す断面図であり、図において、図２と同一符号は同一または相当部分を示すので説明を省略する。なお、図１０ではディスク支持レバー３３の記載を省略しているが、図２のディスク装置と同様にディスク支持レバー３３が搭載されている。
位置補正部材３４は排出対象のディスク２４が落下した場合、そのディスク２４の端部２４ａに当接しながら図中左方向にスライドしてディスク２４の位置を補正する。
【００１８】
上記実施の形態１では、位置補正部材３４を設けていないが、図１０のように位置補正部材３４を設置すると、ディスク２４の落下時の姿勢が傾いているような場合でも、ディスク２４の姿勢を整えて水平にすることができる。
即ち、位置補正部材３４がディスク２４の端部２４ａに当接しながら図中左方向にスライドすると、ディスク２４の端部２４ａが位置補正部材３４の当接面３４ａに沿って持ち上がるので、ディスク２４の姿勢を整えることができる。
ディスク２４の姿勢を水平方向に整えた後は、上記実施の形態１と同様に、ディスク交換機構１がディスク２４を上方向に持ち上げて、排出処理を実施する。
この実施の形態２によれば、ディスク２４の落下時の姿勢が傾いているような場合でも、ディスク２４を傷めることなく確実に排出することができる効果を奏する。
【００１９】
実施の形態３．
上記実施の形態１，２では、ディスク支持レバー３３の下側にテーパ面３３ａを形成するものについて示したが、図１１に示すように、ディスク支持レバー３３の上側にもテーパ面３３ｃを形成するようにしてもよい。
これにより、排出対象のディスク２４の上下にディスク４１，４２が積層されている場合でも、上側にあるディスク４１の端部４１ａがディスク支持レバー３３に接触する不具合を回避することができる効果を奏する。
【００２０】
実施の形態４．
実施の形態４では、図１２に示すように、ディスク支持レバー３３の垂直面３３ｂ（ディスク２４の支持面）に、例えばウレタンなどのコーティング部材４３をコーティングしたものである。
これにより、ディスク支持レバー３３の垂直面３３ｂにおける摩擦力が高まるため、ディスク２４の保持力を高めることができる効果を奏する。
【００２１】
実施の形態５．
実施の形態５では、図１３に示すように、ディスク支持レバー３３の垂直面３３ｂ（ディスク２４の支持面）に、例えばゴムなどのクッション材４４を付加したものである。
これにより、ディスク支持レバー３３の垂直面３３ｂにおける摩擦力が高まるため、ディスク２４の保持力を高めることができる効果を奏する。
【００２２】
【発明の効果】
以上のように、この発明によれば、ディスク把持アームに外力が作用すると、そのディスク把持アームの上方向への移動を許容する隙間をディスク把持アームの上部に設けるとともに、ディスク支持レバーの下側にテーパ面を形成するように構成したので、排出対象のディスクを落してしまっても、そのディスクを排出することができる効果がある。
【図面の簡単な説明】
【図１】この発明の実施の形態１によるディスク装置を示す上面図である。
【図２】この発明の実施の形態１によるディスク装置を示す断面図である。
【図３】ディスクの落下状態を示す断面図である。
【図４】ディスクの持ち上げ動作を示す断面図である。
【図５】ディスクの持ち上げ完了状態を示す断面図である。
【図６】ディスクの落下状態を示す断面図である。
【図７】ディスクの持ち上げ動作を示す断面図である。
【図８】ディスクの持ち上げ完了状態を示す断面図である。
【図９】この発明の実施の形態１によるディスク装置の処理内容を示すフローチャートである。
【図１０】この発明の実施の形態２によるディスク装置を示す断面図である。
【図１１】この発明の実施の形態３によるディスク装置を示す断面図である。
【図１２】この発明の実施の形態４によるディスク装置を示す断面図である。
【図１３】この発明の実施の形態５によるディスク装置を示す断面図である。
【符号の説明】
１  ディスク交換機構、２  駆動モータ、３  ラックプレート、４  リンクレバー、５，６  駆動ギア、７  ディスク把持アーム、８  上下規制部材、９  駆動モータ、１０  駆動ギア、１１  カムギア、１２  駆動レバー、１３  カムプレート、１５  ディスク支持レバー、１６，１７  回動ギア、１８  リングギア、１９  リミットギア、２０  レバー回動ギア、２１  ディスク排出機構、２２駆動ギア、２３  搬送ローラ、２４  ディスク、２４ａ  端部、３１  上下規制部材、３２  隙間、３３  ディスク支持レバー、３３ａ  テーパ面、３３ｂ  垂直面、３３ｃ  テーパ面、３４  位置補正部材、３４ａ  当接面、４１，４２ディスク、４３  コーティング部材、４４  クッション材。
【図１】
2004280998.tif 000003
【図２】
2004280998.tif 000004
【図３】
2004280998.tif 000005
【図４】
2004280998.tif 000006
【図５】
2004280998.tif 000007
【図６】
2004280998.tif 000008
【図７】
2004280998.tif 000009
【図８】
2004280998.tif 000010
【図９】
2004280998.tif 000011
【図１０】
2004280998.tif 000012
【図１１】
2004280998.tif 000013
【図１２】
2004280998.tif 000014
【図１３】
2004280998.tif 000015